(57)【要約】      （修正有）【課題】電池パックを収容する際、電池パックを最後まで手等で支えることなく装着前位置に位置させる電池パックの収容構造の提供。【解決手段】略四角形で平板状の電池パック１０は、第１の側面に設けられた接続端子と、第２の側面及び第３の側面に設けられた電池パック側面突起部１１ｃ、１１ｄとを有し、収容部は、第１の収容部側面に設けられた収容部接続端子と、第２、第３の収容部側面とにそれぞれ設けられた、収容部側面突起部とを有し、収容部側面突起部の上部には、電池パック側面突起部が当接する傾斜部が設けられ、電池パック側面突起部が傾斜部に当接すると、傾斜部に沿って滑落して、電池パックの接続端子と収容部接続端子とを接続可能な装着前位置に位置する電池パックの収容構造。【選択図】図８
2017117793.tif 000002
【特許請求の範囲】
【請求項１】
電池パックを収容する収容部を備えた電子機器における前記電池パックの収容構造であって、
前記電池パックを収容した前記収容部を覆う電池カバーを備え、
前記電池パックは、略四角形で平板状の形状であり、第１の側面に設けられた接続端子と、前記第１の側面と隣り合う第２の側面及び第３の側面に設けられた電池パック側面突起部とを有し、
前記収容部は、前記電池パックの下面に対応する底面と、前記第１の側面に対応する側面である第１の収容部側面に設けられた収容部接続端子と、前記第２の側面に対応する側面である第２の収容部側面と前記第３の側面に対応する側面である第３の収容部側面とにそれぞれ設けられた、前記電池パック側面突起部と係合可能な収容部側面突起部とを有し、
前記収容部側面突起部の上部には、前記第１の収容部側面と対向する第４の収容部側面に向かう方向で下方向に傾斜し、前記電池パックが前記収容部に収容される際に前記電池パック側面突起部が当接する傾斜部が設けられ、
前記電池パックは、前記電子機器における装着位置に位置する前に、前記電池パックの下面と収容部の底面とが対向し、かつ前記接続端子と前記収容部接続端子とが対向する状態で、前記収容部の底面に対して斜めに傾けて収容される際に、前記第２の側面及び前記第３の側面の電池パック側面突起部が前記傾斜部に当接すると、前記傾斜部に沿って滑落して、前記電池パックの接続端子と前記収容部接続端子とを接続可能な装着前位置に位置する、電池パックの収容構造。
【請求項２】
前記電池カバーは、前記第４の収容部側面に対応する縁部に電池パック押し部を有し、
前記電池パック押し部は、前記電池パックが前記装着前位置に位置しているとき、前記第４の収容部側面に対応する縁部に設けられたカバー側面突起部を前記第４の収容部側面に設けられた孔部に嵌合させた後、前記電池カバーを閉じる方向に回動させると、前記電池パックを前記収容部接続端子側に押して前記装着位置に位置させる、請求項１に記載の電池パックの収容構造。
【請求項３】
前記電池パックは、該電池パックの下面から突出する電池パック下面突起部を有し、前記収容部は、該収容部の底面に形成された、前記電池パック下面突起部と嵌合可能な収容部底面溝部を備え、
前記電池パック下面突起部と前記収容部底面溝部との嵌合によって、前記電池パックの接続端子と前記収容部接続端子との相対的な位置が規定され、
前記相対的な位置は、前記電池パックの接続端子と前記収容部接続端子とを接続する端子接続方向の位置である、請求項２に記載の電池パックの収容構造。
【請求項４】
前記電池パックは、前記電池パック下面突起部と前記収容部底面溝部との嵌合によって、前記収容部の底面に沿い、かつ前記電池パックの接続端子の接続方向と直角な方向の動きが規制される、請求項３に記載の電池パックの収容構造。
【請求項５】
前記電池カバーは、前記第２の収容部側面に対応する縁部の下面と、前記第３の収容部側面に対応する縁部の下面とにそれぞれ設けられたカバー下面突起部を有し、
前記電池パックが前記装着前位置に位置した後の前記電池カバーが前記電池パックの上面から前記電池パックを覆うように前記電子機器に装着された状態においては、前記電池パックは、前記装着位置に位置し、前記電池パック側面突起部と前記収容部側面突起部とが係合し、係合している前記電池パック側面突起部と前記収容部側面突起部に、前記カバー下面突起部が係合し、前記電池パック側面突起部と、前記収容部側面突起部と、前記カバー下面突起部との係合によって、前記電池パックの端子接続方向の動き、及び前記電池パックの下面から上面に向かう方向の動きが規制される、請求項３または請求項４に記載の電池パックの収容構造。
【請求項６】
前記電池パック側面突起部と、前記収容部側面突起部と、前記カバー下面突起部とは、それぞれ、前記第２の側面と前記第３の側面の２つの側面、前記第２の収容部側面と前記第３の収容部側面の２つの側面、及び前記第２の収容部側面に対応する縁部と前記第３の収容部側面に対応する縁部の２つの縁部下面に少なくとも１つずつ設けられている、請求項５に記載の電池パックの収容構造。
【請求項７】
請求項１〜６のいずれか１項に記載の電池パックの収容構造を備える、電子機器。
【発明の詳細な説明】
【技術分野】
【０００１】
本発明は、電池パックの収容構造、および電子機器に関する。
【背景技術】
【０００２】
電子機器には、動作するために必要な電力を確保するために収容部に電池パックを収容するものがある。
【０００３】
特許文献１は、バッテリーフックを解除位置からロック位置へスライドさせて内蔵バッテリーの第３係止突起を押圧することにより、バッテリー端子をバッテリー収納部のコネクタに当接させるとともに、内蔵バッテリーをバッテリー収容部に固定する携帯機器における内蔵バッテリー保持構造を開示している。
【先行技術文献】
【特許文献】
【０００４】
【特許文献１】特開２００１−２８５４３１号公報
【発明の概要】
【発明が解決しようとする課題】
【０００５】
しかしながら、特許文献１の内蔵バッテリー保持構造は、ユーザがバッテリー収容部内において、バッテリーフックを解除位置からロック位置へスライドさせて内蔵バッテリーの第３係止突起を押圧する位置、すなわち、内蔵バッテリーが装着位置となる前の位置である装着前位置に内蔵バッテリーを最後まで手等で支えて位置させる必要がある。
【０００６】
本発明の目的は、電池パックを収容する際、電池パックを最後まで手等で支えることなく装着前位置に位置させることができる電池パックの収容構造、および電子機器を提供することにある。
【課題を解決するための手段】
【０００７】
本発明の電池パックの収容構造は、電池パックを収容する収容部を備えた電子機器における前記電池パックの収容構造であって、前記電池パックを収容した前記収容部を覆う電池カバーを備え、前記電池パックは、略四角形で平板状の形状であり、第１の側面に設けられた接続端子と、前記第１の側面と隣り合う第２の側面及び第３の側面に設けられた電池パック側面突起部とを有し、前記収容部は、前記電池パックの下面に対応する底面と、前記第１の側面に対応する側面である第１の収容部側面に設けられた収容部接続端子と、前記第２の側面に対応する側面である第２の収容部側面と前記第３の側面に対応する側面である第３の収容部側面とにそれぞれ設けられた、前記電池パック側面突起部と係合可能な収容部側面突起部とを有し、前記収容部側面突起部の上部には、前記第１の収容部側面と対向する第４の収容部側面に向かう方向で下方向に傾斜し、前記電池パックが前記収容部に収容される際に前記電池パック側面突起部が当接する傾斜部が設けられ、前記電池パックは、前記電子機器における装着位置に位置する前に、前記電池パックの下面と収容部の底面とが対向し、かつ前記接続端子と前記収容部接続端子とが対向する状態で、前記収容部の底面に対して斜めに傾けて収容される際に、前記第２の側面及び前記第３の側面の電池パック側面突起部が前記傾斜部に当接すると、前記傾斜部に沿って滑落して、前記電池パックの接続端子と前記収容部接続端子とを接続可能な装着前位置に位置する。
【発明の効果】
【０００８】
本発明によれば、電池パックを収容する際、電池パックを最後まで手等で支えることなく装着前位置に位置させることができる電池パックの収容構造、および電子機器を提供することができる。
【図面の簡単な説明】
【０００９】
【図１】（ａ）は、本発明に係る電池パックの収容構造を有する電子機器の一例を表面側から見た斜視図である。（ｂ）は、本発明に係る電池パックの収容構造を示す電子機器の一例を裏面側から見た斜視図である。
【図２】（ａ）は、本発明の第１実施形態に係る電池パックの上面、および３つの側面の構造を示す図である。（ｂ）は、第１実施形態に係る電池パックの下面の構造を示す図である。
【図３】第１実施形態に係る電子機器の電池パックの収容部の構造を示す斜視図である。
【図４】（ａ）は、傾斜部を設けていない収容部側面突起部を示す斜視図である。（ｂ）は、傾斜部が設けられた収容部側面突起部を示す斜視図である。
【図５】図３に示した電子機器に、図２に示した電池パックを収容した様子を示す図である。
【図６】（ａ）は、第１実施形態に係る電子機器の電池カバーの上面、および４つの側面の構造を示す図である。（ｂ）は、第１実施形態に係る電池カバーの構造を示す斜視図である。
【図７】第１実施形態の電池パック接続端子と収容部接続端子の関係を示す図であり、理解し易くするために、電池パック側についてはその下面側を上に向けて示している。
【図８】電池パックを収容部に収容する方法を説明するための図である。
【図９】（ａ）は、電池パックが収容部に収容される際の電池パック接続端子と収容部接続端子の位置関係の一例を示す図である。（ｂ）は、電池パックが収容部に収容される際の電池パック接続端子と収容部接続端子の位置関係を、（ａ）とは異なる例について示す図である。（ｃ）は、電池パックが収容部に収容される際の電池パック側面突起部と傾斜部の位置関係を示す図である。（ｄ）は、電池パックが収容部に収容される際の電池パック側面突起部と傾斜部の位置関係を示す図である。（ｅ）は、電池パックが収容部に収容される際の電池パック側面突起部と傾斜部の位置関係を示す図である。
【図１０】電池パックが装着前位置に位置している様子を示す斜視図である。
【図１１】電池パックが装着前位置に位置している様子を示す上面図である。
【図１２】図１１に示したａ‐ａ’線の断面図である。
【図１３】電池カバーを電子機器に取り付ける方法を説明するための図である。
【図１４】電池カバーに設けられる、本発明に係る電池パック押し部の一例を示す斜視図である。
【図１５】電池パック側面突起部と収容部側面突起部の位置関係を示す図である。
【図１６】電池パック側面突起部、収容部側面突起部、およびカバー下面突起部が係合している様子を示す図である。
【図１７】電子機器に電池カバーを取り付けた様子を示す図である。
【図１８】第２実施形態に係る電池パックを下面から見た図である。
【図１９】第２実施形態に係る電子機器の収容部の構造を示す斜視図である。
【発明を実施するための形態】
【００１０】
以下、図面を参照しながら、本発明の実施形態について詳細に説明する。なお、同様な内容については繰り返し説明することによる煩雑を避けるために、適宜説明を省略する。
【００１１】
［１．第１実施形態］
図１〜図５を参照して、本発明の第１実施形態に係る電池パック１０と、電子機器１００の収容部１１０と、電池カバー２００の構造について説明する。
【００１２】
図１（ａ）、および図１（ｂ）は、本発明に係る電池パックの収容構造を備える電子機器１００の一例を示す図である。図１（ａ）は電子機器１００を表面側から見た斜視図を示し、図１（ｂ）は電子機器１００を裏面側から見た斜視図を示している。
【００１３】
図１（ａ）に示すように、電子機器１００は、例えば、タッチパネル付きディスプレイ１０１を備えた電子機器である。図１（ｂ）に示すように、電子機器１００は、裏面側には電池パックを収容する収容部を備え、収容部は電池カバー２００で覆われている。なお、本発明に係る電池パックの収容構造は、上述したようなタッチパネル付きディスプレイ１０１を備えた電子機器１００に限定されず、種々の電子機器に適用することができる。
【００１４】
図２（ａ）は、電池パック１０を上面側から見た図、および３方向の側面側から見た図を示し、図２（ｂ）は、電池パック１０を下面側から見た図を示している。以下、図２（ａ）において、電池パック１０の横方向をｘ方向、縦方向をｙ方向、厚み方向をｚ方向と定義する。言い換えれば、電池パック１０において電気的接続のための複数の電池パック接続端子１３が設けられた側面に直交する方向をｘ方向、ｘ方向に直角な方向をｙ方向、ｘ方向及びｙ方向に直角な方向をｚ方向と定義する。また、図２（ａ）に示した矢印の方向を＋方向と定義し、矢印と反対の方向を−方向と定義する。付言すると、＋ｘ方向が、電池パック接続端子１３を持つ側面から離れる方向であり、＋ｚ方向が、電池パック１０の下面から上面に向かう方向である。
【００１５】
（１−１．電池パックの構造）
図２（ａ）、および図２（ｂ）を参照すると、電池パック１０は、一部に凹凸はあるが、略四角形の平板状の形状である。電池パック１０は、４つの電池パック側面突起部１１ａ〜１１ｄと、４つの電池パック下面突起部１２ａ〜１２ｄと、複数の電池パック接続端子１３と、電池パック爪部１４と、電池パック端子位置決め部１５と、を備える。電池パック接続端子１３は、後述する収容部１１０に設けられる収容部接続端子１１３を受け入れることのできる受け部で実現される。
【００１６】
電池パック側面突起部１１ａと電池パック側面突起部１１ｂは、ｘ方向に対応する２つの側面のうちの一方の側面に設けられており、＋ｙ方向に突出したＬ字形の形状を有する突起部である。
【００１７】
電池パック側面突起部１１ｃと電池パック側面突起部１１ｄは、ｘ方向に対応する２つの側面のうちの他方の側面に設けられており、−ｙ方向に突出したＬ字形の形状を有する突起部である。電池パック側面突起部１１ｃは、電池パック側面突起部１１ａとは反対側の位置に、ｘ方向において同じ位置となるように設けられており、電池パック側面突起部１１ｄは、電池パック側面突起部１１ｂとは反対側の位置に、ｘ方向において同じ位置となるように設けられている。
【００１８】
電池パック下面突起部１２ａ〜１２ｄは、電池パック１０の下面に−ｚ方向に突出するように設けられており、垂直方向（短手方向）の断面が四角形の突起部である。断面が四角形の突起部としては、例えば、ｘ方向を長手方向、ｙ方向を短手方向とする直方体とすることができる。また、電池パック下面突起部１２ａと電池パック下面突起部１２ｂは長手方向がｘ方向に平行になるようにｙ方向に並んで設けられている。同様に、電池パック下面突起部１２ｃと電池パック下面突起部１２ｄは長手方向がｘ方向に平行になるようにｙ方向に並んで設けられている。さらに、電池パック下面突起部１２ａと電池パック下面突起部１２ｃは短手方向がｙ方向に平行になるように、また、ｙ方向における位置が同一となるように、ｘ方向に並んで設けられている。同様に、電池パック下面突起部１２ｂと電池パック下面突起部１２ｄは短手方向がｙ方向に平行になるように、また、ｙ方向における位置が同一となるように、ｘ方向に並んで設けられている。なお、電池パック下面突起部の数や形状は、特に限定されない。例えば、電池パック下面突起部は、垂直方向の断面が三角形や半円形の突起部であってもよい。
なお、電池パック１０の側面に設けられる突起部の数や形状は、特に上記の例に限定されない。電池パック下面突起部１２ａと電池パック下面突起部１２ｃ、および、電池パック下面突起部１２ｂと電池パック下面突起部１２ｄを、それぞれ連続するものとしてもよい。また、２列の電池パック下面突起部を設けるのではなく、１列の電池パック下面突起部を設けるようにしてもよい。
【００１９】
各電池パック接続端子１３は、ｙ方向に対応する２つの側面のうちの一方の側面に形成された受け部に設けられた端子（ソケット）である。電池パック１０は、複数の電池パック接続端子１３を介して電子機器１００に電力を供給する。
【００２０】
電池パック爪部１４は、電池パック接続端子１３が設けられている側面と同一の側面のコーナーに近い位置に設けられている。ユーザは、電池パック爪部１４に指等を掛け、＋ｘ方向に力を加えることで、収容部接続端子１１３（図３参照）から電池パック接続端子１３を外して電池パック１０を電子機器１００の収容部１１０から取り出すことができる。
【００２１】
電池パック端子位置決め部１５は、電池パック接続端子１３に隣接して設けられており、凹状の受け部構造を有する位置決め部である。後述するが、電子機器１００の収容部１１０は電池パック端子位置決め部１５と対応する位置に収容部端子位置決め部を有する。この収容部端子位置決め部と、電池パック端子位置決め部１５とを嵌合することにより、電池パック接続端子１３と、電子機器１００の収容部が備える収容部接続端子とを支障なく接続することができる。
【００２２】
（１−２．電子機器の収容部の構造）
次に、図３を参照して、電子機器１００の収容部１１０の構造について説明する。
【００２３】
図３を参照すると、収容部１１０は、４つの収容部側面突起部１１１ａ〜１１１ｄ（１１１ｃ、１１１ｄは図示せず）と、４つの収容部底面溝部１１２ａ〜１１２ｄと、複数の収容部接続端子１１３と、収容部端子位置決め部１１５と、２つの固定具１１６ａ、１１６ｂと、端子保護部１１７と、を備える。
【００２４】
収容部側面突起部１１１ａと収容部側面突起部１１１ｂは、ｘ方向に対応する２つの収容部側壁（側面）のうちの一方の側壁に設けられており、壁面から−ｙ方向に突出した逆Ｌ字形の突起部である。収容部側面突起部１１１ａと収容部側面突起部１１１ｂは、電池パック１０を収容部１１０に収容した際に、それぞれ、電池パック側面突起部１１ａと電池パック側面突起部１１ｂに係合することのできる位置に設けられ、かつ互いに係合可能な構造を有している。例えば、電池パック側面突起部１１ａと収容部側面突起部１１１ａとについて言えば、図１６に示されるように、収容部側面突起部１１１ａの逆Ｌ字形の立ち上がり部からの張り出し部の下側にできたスペースに、電池パック側面突起部１１ａのＬ字形の先端部が入り込む構造となっている。また、詳しくは後述するが、収容部側面突起部１１１ａ、および収容部側面突起部１１１ｂはそれらの上部に傾斜部を備えている。
【００２５】
収容部側面突起部１１１ｃと収容部側面突起部１１１ｄは、図示されていないが、収容部１１０のｘ方向に対応する２つの収容部の側壁のうちの他方の側壁に設けられており、壁面から＋ｙ方向に突出した逆Ｌ字形の突起部である。ｘ方向において、収容部側面突起部１１１ｃは収容部側面突起部１１１ａと同じ位置に、収容部側面突起部１１１ｄは収容部側面突起部１１１ｂと同じ位置に設けられている。（図１１参照）また、収容部側面突起部１１１ｃと収容部側面突起部１１１ｄは、電池パック１０を収容部１１０に収容した際に、それぞれ、電池パック側面突起部１１ｃと電池パック側面突起部１１ｄに係合することのできる位置に設けられ、かつ互いに係合可能な構造を有している。また、収容部側面突起部１１１ｃ、および収容部側面突起部１１１ｄは、収容部側面突起部１１１ａ、および収容部側面突起部１１１ｂと同様に傾斜部を備えている。なお、収容部１１０の側面に設けられる突起部の数は、特に限定されない。また、その形状についても特に限定されず、形状は、電池パックの側面に設けられた突起部と係合可能な形状であればよい。
【００２６】
次に、図４（ａ）、および図４（ｂ）を参照して、収容部側面突起部１１１ａ〜１１１ｄの構造について詳細に説明する。図４（ａ）、および図４（ｂ）は、収容部側面突起部１１１ａの拡大図を示している。
【００２７】
図４（ａ）は、上部に後述する傾斜部を設けていない収容部側面突起部１１１ａを示している。図４（ａ）に示すように、収容部側面突起部１１１ａの上部は平面であり、かつ収容部１１０の底面に対して平行な構造を有している。図示していないが、収容部側面突起部１１１ｂ〜１１１ｄは、収容部側面突起部１１１ａと同様の構造を有している。なお、図４（ａ）は、収容部側面突起部１１１ａ〜１１１ｄの構造を理解し易くするためだけに示すもので、本発明に係る収容部側面突起部１１１ａ〜１１１ｄの上部には、後述する傾斜部が設けられている。
【００２８】
図４（ｂ）は、本発明に係る収容部突起部１１１ａを示している。図４（ｂ）に示すように、収容部側面突起部１１１ａの上部、特に逆Ｌ字形の立ち上がり部からの張り出し部には、その延在方向（＋ｘ方向）に沿って下るように傾斜している傾斜部１２１ａが設けられている。
【００２９】
傾斜部１２１ａは、収容部接続端子１１３が設けられている側壁と対向する側壁に向かって傾斜している。後述するが、電池パック収容構造は、傾斜部１２１ａを備えることで、電池パック１０を、電池パック接続端子１３と収容部接続端子１１３が接続される装着位置の前の位置（以下、装着前位置）に容易に位置させることができる。また、傾斜部１２１ａは、２つのリブ１３１ａ、およびリブ１３２ａによって収容部１１０の側壁に接続され、支持されている。なお、図４（ｂ）は、収容部側面突起部１１１ａのみを示しているが、収容部側面突起部１１１ｂ〜１１１ｄの上部には、傾斜部１２１ａと同様の構造を有する傾斜部１２１ｂ〜１２１ｄが、それぞれ設けられ、それぞれ２つのリブ（１３１ｂ〜１３１ｄ、１３２ｂ〜１３２ｄ）によって収容部１１０の側壁に接続され、支持されている。（図１１参照）
【００３０】
図３に戻ると、収容部底面溝部１１２ａ〜１１２ｄは、収容部１１０の底面に形成された溝である。収容部底面溝部１１２ａ〜１１２ｄは、電池パック１０を収容部１１０に収容した際に、それぞれ、電池パック下面突起部１２ａ〜１２ｄが嵌合する位置に形成され、かつ互いに嵌合可能な構造を有している。収容部底面溝部１１２ａ〜１１２ｄは、電池パック１０を収容部１１０に載置した時（図１１参照）に、それぞれ、電池パック下面突起部１２ａ〜１２ｄと嵌合するように設けられている。また、収容部底面溝部１１２ａ〜１１２ｄは、電池パック下面突起部１２ａ〜１２ｄとの嵌合状態を維持したまま電池パック１０を−ｘ方向にスライドさせて、電池パック接続端子１３と収容部接続端子１１３とを接続した状態にした時（図５参照）も嵌合状態を保つように設けられている。収容部底面溝部１１２ａ〜１１２ｄの深さは、電池パック下面突起部１２ａ〜１２ｄの高さよりも深くなるように設けられている。収容部１１０の収容部底面溝部１１２ａ〜１１２ｄと、電池パック下面突起部１２ａ〜１２ｄとの嵌合によって、電池パック１０と収容部１１０との相対的な位置決めを行い、電池パック１０の電池パック接続端子１３と収容部１１０の収容部接続端子１１３との位置が相対的にずれてしまうことを防止する。
【００３１】
各収容部接続端子１１３は、ｙ方向に対応する２つの収容部側壁（側面）のうちの一方の側壁に設けられた接続片（あるいはピン）から構成されており、電池パック接続端子１３と接続可能な構造を有している。
【００３２】
収容部端子位置決め部１１５は、複数の収容部接続端子１１３に隣接して設けられた突起部であり、電池パック端子位置決め部１５（図２（ｂ））の凹状の受け部と嵌合可能な構造を有している。収容部端子位置決め部１１５と電池パック端子位置決め部１５とを嵌合することで電池パック１０の電池パック接続端子１３と、収容部１１０の収容部接続端子１１３とを、支障なく接続することができる。
【００３３】
固定具１１６ａと固定具１１６ｂは、収容部１１０のｙ方向に対応する２つの縁のうちの一方の縁（ここでは、収容部接続端子１１３が設けられた縁と同じ縁）に沿って電子機器１００の表面上に並べて設けられた回動可能な板部材である。ここでは、固定具１１６ａ、１１６ｂは、円板の外周の一部に板面に平行に突出する突出部１１６ａ−１、１１６ｂ−１を設けると共に上面に直径にわたるツマミを設けたものである。
【００３４】
ここで、図５を参照して、固定具１１６ａと固定具１１６ｂについて説明する。図５を参照すると、電子機器１００の収容部１１０に電池パック１０を収容した様子が示されている。具体的には、図５に示す電子機器１００は、電池パック接続端子１３と、収容部接続端子１１３が接続された電池パック１０の装着位置を示している。図１７に示すように、収容部１１０に電池カバー２００を装着した状態にてツマミの方向をｙ方向と平行の向きにして突出部１１６ａ−１、１１６ｂ−１が電池カバー２００の上に位置するようにする。このようにすることで電子機器１００の収容部１１０に対し電池カバー２００を固定することができる。また、各固定具のツマミの方向をｘ方向と平行の向きにして突出部１１６ａ−１、１１６ｂ−１が電池カバー２００から離れるようにする。このようにすることで電子機器１００の収容部１１０に対し電池カバー２００を取り付けたり、取り外したりすることができる。なお、上記の固定具１１６ａと固定具１１６ｂの形状は一例にすぎず、特に限定されない。
【００３５】
端子保護部１１７は、複数の収容部接続端子１１３の上方を覆う、ひさし状の構造を有しており、収容部１１０の開放時、何かが当たって収容部接続端子１１３が破損等しないように保護する。
【００３６】
（１−３．電池カバーの構造）
次に、図６を参照して、電池カバー２００の構造について説明する。
【００３７】
図６を参照すると、電池カバー２００は、４つのカバー下面突起部２１１ａ〜２１１ｄと、３つのカバー側面突起部２１２ａ〜２１２ｃと、２つのカバー側面段部２１３ａ、２１３ｂと、を備える。
【００３８】
カバー下面突起部２１１ａとカバー下面突起部２１１ｂは、ｘ方向に対応する２つの側面のうちの一方の側面の縁に沿って電池カバー２００の下面に設けられており、−ｚ方向に突出した突起部である。カバー下面突起部２１１ａは、電池パック側面突起部１１ａにｚ方向から係合することのできる構造を有し、かつ係合することのできる位置に設けられている。同様に、カバー下面突起部２１１ｂは、電池パック側面突起部１１ｂにｚ方向から係合することのできる構造を有し、かつ係合することのできる位置に設けられている。
【００３９】
カバー下面突起部２１１ｃとカバー下面突起部２１１ｄは、ｘ方向に対応する２つの側面のうちの他方の側面の縁に沿って電池カバー２００の下面に設けられており、−ｚ方向に突出した突起部である。カバー下面突起部２１１ｃは、電池パック側面突起部１１ｃにｚ方向から係合することのできる構造を有し、かつ係合することのできる位置に設けられている。同様に、カバー下面突起部２１１ｄは、電池パック側面突起部１１ｄにｚ方向から係合することのできる構造を有し、かつ係合することのできる位置に設けられている。なお、電池カバー２００の下面に設けられる突起部の数や形状は、特に限定されない。
【００４０】
カバー側面突起部２１２ａ〜２１２ｃは、ｙ方向に対応する２つの側面のうちの一方の側面に設けられており、ｘ方向に突出した突起部である。電池カバー２００は、カバー側面突起部２１２ａ〜２１２ｃを、電子機器１００の収容部１１０におけるｙ方向に対応する側壁（側面）であって、複数の収容部接続端子１１３とは反対側の側壁（側面）に設けられた孔部（図示省略）に差し込むことで位置決めすることができる。詳しくは後述するが、カバー側面突起部２１２ａ〜２１２ｃには、それぞれ、電池パック押し部（図１３に１個だけ２２１ａで示す）が設けられている。カバー側面突起部２１２ａ〜２１２ｃに設けられた電池パック押し部は、電池カバー２００を電子機器１００に装着した際に、電池パック１０を押す。その結果、電池パック１０は、装着前位置から装着位置へ移動する。すなわち、カバー側面突起部２１２ａ〜２１２ｃに電池パック押し部を設けることによって、電池カバー２００を装着するだけで、電池パック１０の位置を装着前位置から装着位置へシフトさせることができる。
【００４１】
カバー側面段部２１３ａとカバー側面段部２１３ｂは、ｙ方向に対応する２つの側面のうちの他方の側面の縁に沿って電池カバー２００の側面に設けられた段部である。電池カバー２００を収容部１１０にセットした状態で固定具１１６ａ、１１６ｂのツマミを回動させることで突出部１１６ａ−１、１１６ｂ−１をカバー側面段部２１３ａ、２１３ｂ上に置くことができる。こうすることにより、電池カバー２００は、カバー側面段部２１３ａとカバー側面段部２１３ｂが、それぞれ、固定具１１６ａと固定具１１６ｂとで押さえられ、電子機器１００に固定される。
【００４２】
（１−４．電池パックの収容方法）
次に、図７、図８、図９、および図１０を参照して、電池パック１０を電子機器１００の収容部１１０に収容する方法について説明する。図７は、第１実施形態に係る電池パック１０の下面の構造を示す図である。なお、図７は、電池パック１０側の電池パック接続端子１３と収容部１１０側の収容部接続端子１１３との関係を理解し易くするために、電池パック１０の下面を上に向けて示している。電池パック１０を収容部１１０に収容する際には、電池パック１０はその下面を下側に向けて収容されることは言うまでも無い。
【００４３】
図８は、電池パック１０を収容部１１０に収容する方法を説明するための斜視図である。図８に示すように、電池パック１０を収容部１１０に収容するために、ユーザは、まず手（図示していない）等で保持しながら、電池パック１０の電池パック端子位置決め部１５と収容部端子位置決め部１１５とが合致するように、電池パック１０を端子保護部１１７の下に斜めに差し入れる。
【００４４】
次に、図９（ａ）〜図９（ｅ）を参照して、電池パック１０を装着前位置に位置させる方法について説明する。
【００４５】
図９（ａ）は、電池パック１０を収容部１１０に収容する際の、電池パック接続端子１３と、収容部接続端子１１３の位置関係を示す図である。すなわち、図８の状態における電池パック接続端子１３と、収容部接続端子１１３の位置関係を示す図である。図９（ａ）は、電池パック接続端子１３を収容部接続端子１１３に深く差し入れたときの位置関係を示す図である。図９（ｂ）は、電池パック１０の電池パック端子位置決め部１５と収容部端子位置決め部１１５とが合致しているが、電池パック接続端子１３を収容部接続端子１１３に差し入れていないときの位置関係を示す図である。図８の状態は、図９（ａ）に示す状態であってもよいし、図９（ｂ）に示す状態であってもよい。また、図９（ａ）に示す状態と図９（ｂ）に示す状態の中間の状態であってもよい。
【００４６】
図９（ｃ）は、図８の状態から、ユーザが電池パック１０から手を離し、電池パック１０が自重によって落下していって、電池パック側面突起部１１ａと傾斜部１２１ａとが当接する様子を示している。なお、図示していないが、この時、電池パック側面突起部１１ｂも、傾斜部１２１ｂと当接する。また、この時点では、電池パック１０は斜めの状態であるので、電池パック側面突起部１１ｃ、１１ｄと傾斜部１２１ｃ、１２１ｄとは当接しない。電池パック１０が水平の状態となると、電池パック側面突起部１１ｃ、１１ｄも、傾斜部１２１ｃ、１２１ｄと当接するようになる。
【００４７】
図９（ｄ）は、図９（ｃ）の後の状態を示している。図９（ｄ）に示すように、電池パック側面突起部１１ａは、傾斜部１２１ａに当接しているので、また、電池パック側面突起部１１ｂは、傾斜部１２１ｂに当接しているので、電池パック１０は、傾斜部１２１ａと傾斜部１２１ｂに沿って滑り移動する。その結果、電池パック１０は、収容部接続端子１１３が設けられている側壁とは逆方向へ移動する。
【００４８】
図９（ｅ）は、図９（ｄ）に示す状態において、電池パック１０が更に移動した状態を示している。図９（ｅ）に示すように、電池パック１０は、電池パック側面突起部１１ａが傾斜部１２１ａに沿って更に滑り、また、電池パック側面突起部１１ｂが傾斜部１２１ｂに沿って更に滑り、傾斜部１２１ａ、１２１ｂから滑り落ちて装着前位置に位置する。電池パック１０が装着前位置に位置すると、電池パック下面突起部１２ａ〜１２ｄは、それぞれ、収容部底面溝部１１２ａ〜１１２ｄと嵌合する。これにより、電池パック１０は、ｙ方向の動きが規制されると共に、収容部１１０中に位置決めされる。すなわち、本実施形態では、電池パック１０は、電池パック下面突起部１２ａ〜１２ｄを位置決めに使用し、収容部１１０に収容する。
【００４９】
図１０、および図１１は、電池パック１０が装着前位置に位置している電子機器１００を示す図である。具体的には、図１０は、電池パック１０が装着前位置に位置している時の斜視図であり、図１１は、電池パック１０が装着前位置に位置している時の上面図である。図１０、および図１１に示すように、電池パック１０が装着前位置に位置している時には、電池パック接続端子１３と収容部接続端子１１３は接続されていない。図１０、および図１１に示す状態において、電池パック１０を−ｘ方向に押し込むことによって、電池パック１０を装着位置に位置させることができる。後述するが、本発明においては、電池カバー２００のカバー側面突起部２１２ａ〜２１２ｃに電池パック押し部が設けられていることによって、電池パック１０が装着前位置に位置している時に電池カバー２００を取り付けると、電池パック１０を装着位置にシフトさせることができる。
【００５０】
図１２は、図１１において、第１実施形態の電池パックを収容した場合のａ−ａ’線の断面図である。
図１２を参照して、本発明の電池パック１０の位置決めの効果について具体的に説明する。電池パック下面突起部１２ａと電池パック下面突起部１２ｂとの間の寸法をA、その寸法公差を±Bとし、収容部底面溝部１１２ａと収容部底面溝部１１２ｂとの間の寸法をC、その寸法公差を±Dとする。この場合、最大で(A+B)-(C-D)の寸法差に起因する隙間が生じる。本発明において、大型の電池パック１０であっても、電池パック下面突起部（１２ａ，１２ｂ）を位置決めに利用して電池パック１０を収容部１１０に収容することで、寸法差に起因するｙ方向の隙間を小さくすることができる。その結果、電池パック端子位置決め部１５と、収容部端子位置決め部１１５の相対的な位置ずれが抑えられ、電池パック１０を収容部１１０に収容することができる。なお、図示していないが、電池パック下面突起部１２ｃと電池パック下面突起部１２ｄが、それぞれ、収容部底面溝部１１２ｃと収容部底面溝部１１２ｄに嵌合することによっても、電池パック端子位置決め部１５と収容部端子位置決め部１１５の相対的な位置ずれを抑えることができる。
【００５１】
次に、位置決めされた状態を保ちつつ電池パック１０を−ｘ方向に動かすことで、複数の電池パック接続端子１３と複数の収容部接続端子１１３を接続すると共に、電池パック側面突起部１１ａ〜１１ｄを、それぞれ、収容部側面突起部１１１ａ〜１１１ｄに係合させる。具体的には、電子機器１００に電池カバー２００を取り付けることによって、電池パック１０を−ｘ方向に動かし、電池パック側面突起部１１ａ〜１１ｄを、それぞれ、収容部側面突起部１１１ａ〜１１１ｄに係合させることができる。
【００５２】
図１３（ａ）、および図１３（ｂ）は、電池カバー２００を電子機器１００に取り付ける方法を説明するための図である。具体的には、図１３（ａ）は電池カバー２００を電子機器１００に取り付ける前の状態の断面図を示し、図１３（ｂ）は電池カバー２００を電子機器１００に取り付けた後の状態の断面図を示している。図１３（ａ）、および図１３（ｂ）は、図１１のｂ−ｂ’線に沿った断面図の一部である。電池パック１０は外形の一部のみを示し、収容部１１０と電池カバー２００は一部のみを示している。図１３（ａ）、および図１３（ｂ）を参照すると、電池カバー２００は、収容部１１０における側面のうちの収容部接続端子１１３が設けられている側面と対向する側面に対応する縁に、カバー側面突起部２１２ａと、電池パック押し部２２１ａを備える。特に、電池パック押し部２２１ａはカバー側面突起部２１２ａの反対側、すなわち−ｘ方向に突出している。図示していないが、同様に、電池パック押し部２２１ｂがカバー側面突起部２１２ｂの反対側に設けられ、電池パック押し部２２１ｃがカバー側面突起部２１２ｃの反対側に設けられている。
【００５３】
図１３（ａ）に示すように、電池カバー２００を電子機器１００に取り付けるためには、まずカバー側面突起部２１２ａを収容部１１０の側壁に設けられた孔部に差し込む。この時、図示していないが、カバー側面突起部２１２ｂ、および２１２ｃについても同様に収容部１１０の側壁に設けられた孔部に差し込む。カバー側面突起部２１２ａ、２１２ｂ、および２１２ｃを孔部に差し込むことによって、カバー側面突起部２１２ａ、２１２ｂ、および２１２ｃが電池パック１０と接触し、その後、電池パック押し部２２１ａ、２２１ｂ、および２２１ｃが電池パック１０と接触するので、電池パック１０は電池パック押し部２２１ａ、２２１ｂ、および２２１ｃで押されて装着位置の方へ僅かに移動する。
【００５４】
次いで、図１３（ｂ）に示すように、電池カバー２００は、カバー側面突起部２１２ａ、２１２ｂ、および２１２ｃを孔部に差し込んだ状態で、カバー側面突起部２１２ａ、２１２ｂ、および２１２ｃを支点として閉じる方向に回動させて、電池パック１０を覆うように装着する。その結果、電池パック押し部２２１ａ、２２１ｂ、および２２１ｃは電池パック１０を押すので、電池パック１０が装着位置まで移動し、電池パック接続端子１３と収容部接続端子１１３とが接続された状態となる。この時、電池パック下面突起部１２ａ〜１２ｄは、それぞれ、収容部底面溝部１１２ａ〜１１２ｄに沿って移動するので、電池パック端子位置決め部１５と収容部端子位置決め部１１５の相対的な位置ずれを抑制することができる。また、電池カバー２００を装着することによって、電池パック側面突起部１１ａ〜１１ｄ、収容部側面突起部１１１ａ〜１１１ｄ、および電池カバー側面突起部２１１ａ〜２１１ｄが、それぞれ、係合する。（図１６参照）
【００５５】
図１４は、電池パック押し部２２１ａ、２２１ｂ、および２２１ｃの構造の一例を示す図である。電池パック押し部２２１ａ、２２１ｂ、および２２１ｃは同一形状であるので、１つのみ図示する。図１４に示すように、電池パック押し部２２１ａ、２２１ｂ、および２２１ｃは、収容部接続端子１１３が設けられている側面と対向する収容部１１０の側面に対応する電池カバー２００の側面であってカバー側面突起部２１２ａ、２１２ｂ、および２１２ｃが設けられている面とは反対側の面に設けられている。また、電池パック押し部２２１ａ、２２１ｂ、および２２１ｃは、円を４等分した断面の形状を有している。このような電池パック押し部２２１ａ、２２１ｂ、および２２１ｃは、電池パック１０を押す際に接触する面が曲面で滑らかなので、電池パック１０を傷つけること無く装着位置まで動かすことができる。なお、図１４に示した電池パック押し部２２１ａ、２２１ｂ、および２２１ｃの形状は、例示であり、電池パック押し部２２１ａ、２２１ｂ、および２２１ｃの形状を限定するものではない。電池パック押し部２２１ａ、２２１ｂ、および２２１ｃは、電池パック１０を装着前位置から装着位置へ動かすことのできる形状であればよい。
【００５６】
図１５（ａ）、および図１５（ｂ）は、電池パック１０を電子機器１００の上方に対置させ、電池パック接続端子１３と収容部接続端子１１３の位置関係、および電池パック側面突起部１１ａ〜１１ｄと収容部側面突起部１１１ａ〜１１１ｄの位置関係を示す図である。電子機器１００については収容部１１０の断面図を示す。具体的には、図１５（ａ）は、電池パック１０が装着前位置にある時の電池パック接続端子１３と収容部接続端子１１３の位置関係、および電池パック側面突起部１１ａ〜１１ｄと収容部側面突起部１１１ａ〜１１１ｄの位置関係を示している。図１５（ｂ）は、電池パック１０が電池カバー２００を取り付けたことによって装着位置に移動した時の電池パック接続端子１３と収容部接続端子１１３の位置関係、および電池パック側面突起部１１ａ〜１１ｄと収容部側面突起部１１１ａ〜１１１ｄの位置関係を示している。図１５（ａ）、および図１５（ｂ）に示すように、装着前位置において、電池パック接続端子１３と収容部接続端子１１３は接続されていないが、電池パック１０が装着位置に移動することで電池パック接続端子１３と収容部接続端子１１３とが接続される。また、図１５（ｂ）に示すように、前述した図９（ａ）の状態であっても、電池パック側面突起部１１ａ〜１１ｄは、傾斜部１２１ａ〜１２１ｄの＋ｘ方向に沿って下るように傾斜している箇所に当接するので、電池パック１０は傾斜部１２１ａ〜１２１ｄに沿って滑落し、装着前位置に位置する。
【００５７】
図１６は、前述した図１３（ｂ）の状態、すなわち、電池カバー２００が装着されて電池パック１０が装着位置にある状態において、電池パック側面突起部１１ａ、収容部側面突起部１１１ａ、カバー下面突起部２１１ａが係合している様子を示した図である。具体的に説明すると、まず電池パック側面突起部１１ａは、Ｌ字形状の先端部が、収容部側面突起部１１１ａにおける逆Ｌ字形状の立ち上がり部からの張り出し部の下側にできたスペースに入り込んで、収容部側面突起部１１１ａと係合する。次に、電池カバー２００で、電池パック１０を収容した収容部１１０が覆われることにより、電池カバー２００に設けられたカバー下面突起部２１１ａは、電池パック側面突起部１１ａ、および収容部側面突起部１１１ａに対して上方から係合する。
図１６の状態となるまでを改めて説明する。まず、電池パック１０を収容部１１０内に手で支持して差し入れた後、手を離して装着前位置とする。次に、電池カバー２００を装着する。最後に、固定具１１６ａと固定具１１６ｂのツマミの向きをｙ方向に平行にする。以上で、電池パック１０の電子機器１００への装着が完了する。図１７は、電池カバー２００が取り付けられた電子機器１００を示している。
【００５８】
続いて、図１６を参照して、電池パック収容構造が、収容部１１０に収容された電池パック１０を、動かないように保持する構造であることについて説明する。
【００５９】
最初に、電池パック１０のｘ方向の動きを規制する構造であることについて説明する。
【００６０】
図１６を参照すると、電池パック側面突起部１１ａは、前述したように、Ｌ字形状の先端部が収容部側面突起部１１１ａにおける逆Ｌ字形状の立ち上がり部からの張り出し部の下側にできたスペースに入り込んでいるため、収容部側面突起部１１１ａが電池パック側面突起部１１ａの−ｘ方向の動きを規制している。また、電池パック側面突起部１１ａは、ｚ方向からカバー下面突起部２１１ａが係合しているため、＋ｘ方向の動きが規制されている。すなわち、電池パック側面突起部１１ａは、収容部側面突起部１１１ａとカバー下面突起部２１１ａによってｘ方向の動きが規制されている。これは、電池パック側面突起部１１ｂ〜１１ｄについても同様である。したがって、電池パック１０は、ｘ方向の動きが規制されている。
【００６１】
次に、ｚ方向の動きを規制する構造であることについて説明する。
【００６２】
電池パック側面突起部１１ａは、前述したように、Ｌ字形状の先端部が収容部側面突起部１１１ａにおける逆Ｌ字形状の立ち上がり部からの張り出し部の下側にできたスペースに入り込んでいるため、収容部側面突起部１１１ａは、電池パック側面突起部１１ａのｚ方向の動きを規制している。このことは、電池パック側面突起部１１ｂ〜１１ｄについても同様である。したがって、電池パック１０は、ｚ方向の動きが規制されている。
【００６３】
上記の状態において、ｙ方向の動きは、収容部１１０の収容部底面溝部１１２ａ〜１１２ｄと、電池パック下面突起部１２ａ〜１２ｄとの嵌合によって規制されている。
【００６４】
したがって、電池パック１０は、ｘ方向、ｙ方向、およびｚ方向の動きが規制されているため、衝撃等によって電池パック１０が収容部１１０内で動いてしまうことがなく、電池パック接続端子１３や収容部接続端子１１３が破損してしまうことを防止することができる。なお、関連技術では、クッション等の保護部材を利用して収容部内での電池パックの動きを規制することが行われている。しかしながら、保護部材は、時間が経つにつれて保持力が低下してしまうため、長期間にわたって使用すると電池パックに設けられた複数の接続端子と収容部に設けられた複数の接続端子の接続が切断する恐れがあった。一方、本実施形態は、電池パック１０と収容部１１０に設けた各突起部を係合することで電池パック１０のｘ方向、ｙ方向、およびｚ方向の動きを規制している。したがって、本発明には、関連技術が利用しているような保護部材は不要となる。電池パック１０と収容部１１０に設けた各突起部は、保護部材のように時間が経つにつれて保持力が低下してしまうことがないため、本発明は長期間にわたって使用可能となりコストの観点からも優れている。
【００６５】
［２．第２実施形態］
次に、図１８、および図１９を参照して、本発明の第２実施形態による電池パック１０Ａ、電子機器１００Ａ、および収容部１１０Ａの構造について説明する。第２実施形態は、電池パック１０Ａが電池パック下面突起部を有していない点、および電子機器１００Ａの収容部１１０Ａが収容部底面溝部を有していない点で第１実施形態と相違するが、他の点は同一である。
【００６６】
図１８は、第２実施形態に係る電池パック１０Ａを下面から見た図である。図１８に示すように、電池パック１０Ａの下面には、第１実施形態の電池パック１０とは異なり、電池パック下面突起部１２ａ〜１２ｄが設けられていないので、電池パック１０Ａの下面は平坦面である。
【００６７】
図１９は、第２実施形態に係る電子機器１００Ａを示す斜視図である。図１９に示すように、電子機器１００Ａの収容部１１０Ａの底面には、第１実施形態の収容部１１０とは異なり収容部底面溝部１１２ａ〜１１２ｄが設けられていないので、収容部１１０の底面は平坦面である。
【００６８】
すなわち、第２実施形態においては、電池パック下面突起部１２ａ〜１２ｄ、および収容部底面溝部１１２ａ〜１１２ｄを利用して、電池パック端子位置決め部１５と収容部端子位置決め部１１５の相対的な位置ずれを抑制することはしない。
【００６９】
代わりに、第２実施形態においては、電池パック１０Ａの電池パック側面突起部が設けられている側面と、電池パック１０Ａが収容部１１０Ａに収容されるときに、電池パック１０Ａの電池パック側面突起部が設けられている側面に対向する収容部１１０Ａの収容部側面突起部１１１ａ〜１１１ｄの壁面を用いる。これによって、電池パック端子位置決め部１５と収容部端子位置決め部１１５の相対的な位置ずれを抑制するとともに、電池パック１０Ａが収容部１１０Ａに収容されたときのｙ方向の動きを規制する。第２実施形態においても、第１実施形態と同様の効果を奏することができる。
以上、本発明を、複数の実施形態を参照して説明したが、本発明は上記実施形態に限定されるものではない。本発明の構成や詳細には、請求項に記載された本発明の精神や範囲内で当業者が理解し得る様々な変更をすることができる。
【産業上の利用可能性】
【００７０】
本発明は、電力供給源としての着脱自在な電池パックを備える携帯型の電子機器全般に良好に採用できる。
【符号の説明】
【００７１】
１０、１０Ａ・・・電池パック
１１ａ、１１ｂ、１１ｃ、１１ｄ・・・電池パック側面突起部
１２ａ、１２ｂ、１２ｃ、１２ｄ・・・電池パック下面突起部
１３・・・電池パック接続端子
１４・・・電池パック爪部
１５・・・電池パック端子位置決め部  
１００、１００Ａ・・・電子機器
１０１・・・タッチパネル付きディスプレイ
１１０、１１０Ａ・・・収容部
１１１ａ、１１１ｂ、１１１ｃ、１１１ｄ・・・収容部側面突起部
１１２ａ、１１２ｂ、１１２ｃ、１１２ｄ・・・収容部底面溝部
１１３・・・収容部接続端子
１１５・・・収容部端子位置決め部
１１６ａ、１１６ｂ・・・固定具
１１７・・・端子保護部
１２１ａ、１２１ｂ、１２１ｃ、１２１ｄ・・・傾斜部
１３１ａ、１３１ｂ、１３１ｃ、１３１ｄ・・・リブ
１３２ａ、１３２ｂ、１３２ｃ、１３２ｄ・・・リブ
２００・・・電池カバー
２１１ａ、２１１ｂ、２１１ｃ、２１１ｄ・・・カバー下面突起部
２１２ａ、２１２ｂ、２１２ｃ・・・カバー側面突起部
２１３ａ、２１３ｂ・・・カバー側面段部
２２１ａ、２２１ｂ、２２１ｃ・・・電池パック押し部
【図１】
2017117793.tif 000003
【図２】
2017117793.tif 000004
【図３】
2017117793.tif 000005
【図４】
2017117793.tif 000006
【図５】
2017117793.tif 000007
【図６】
2017117793.tif 000008
【図７】
2017117793.tif 000009
【図８】
2017117793.tif 000010
【図９】
2017117793.tif 000011
【図１０】
2017117793.tif 000012
【図１１】
2017117793.tif 000013
【図１２】
2017117793.tif 000014
【図１３】
2017117793.tif 000015
【図１４】
2017117793.tif 000016
【図１５】
2017117793.tif 000017
【図１６】
2017117793.tif 000018
【図１７】
2017117793.tif 000019
【図１８】
2017117793.tif 000020
【図１９】
2017117793.tif 000021
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
電池パックを収容する収容部を備えた電子機器における前記電池パックの収容構造であって、
前記電池パックを収容した前記収容部を覆う電池カバーを備え、
前記電池パックは、略四角形で平板状の形状であり、第１の側面に設けられた接続端子と、前記第１の側面と隣り合う第２の側面及び第３の側面に設けられた電池パック側面突起部とを有し、
前記収容部は、前記電池パックの下面に対応する底面と、前記第１の側面に対応する側面である第１の収容部側面に設けられた収容部接続端子と、前記第２の側面に対応する側面である第２の収容部側面と前記第３の側面に対応する側面である第３の収容部側面とにそれぞれ設けられた、前記電池パック側面突起部と係合可能な収容部側面突起部とを有し、
前記収容部側面突起部の上部には、前記第１の収容部側面と対向する第４の収容部側面に向かう方向で下方向に傾斜し、前記電池パックが前記収容部に収容される際に前記電池パック側面突起部が当接する傾斜部が設けられ、
前記電池パックは、前記電子機器における装着位置に位置する前に、前記電池パックの下面と収容部の底面とが対向し、かつ前記接続端子と前記収容部接続端子とが対向する状態で、前記収容部の底面に対して斜めに傾けて収容される際に、前記第２の側面及び前記第３の側面の電池パック側面突起部が前記傾斜部に当接すると、前記傾斜部に沿って滑落して、前記電池パックの接続端子と前記収容部接続端子とを接続可能な装着前位置に位置する、電池パックの収容構造。
【請求項２】
前記電池カバーは、前記第４の収容部側面に対応する縁部に電池パック押し部を有し、
前記電池パック押し部は、前記電池パックが前記装着前位置に位置しているとき、前記第４の収容部側面に対応する縁部に設けられたカバー側面突起部を前記第４の収容部側面に設けられた孔部に嵌合させた後、前記電池カバーを閉じる方向に回動させると、前記電池パックを前記収容部接続端子側に押して前記装着位置に位置させる、請求項１に記載の電池パックの収容構造。
【請求項３】
前記電池パックは、該電池パックの下面から突出する電池パック下面突起部を有し、前記収容部は、該収容部の底面に形成された、前記電池パック下面突起部と嵌合可能な収容部底面溝部を備え、
前記電池パック下面突起部と前記収容部底面溝部との嵌合によって、前記電池パックの接続端子と前記収容部接続端子との相対的な位置が規定され、
前記相対的な位置は、前記電池パックの接続端子と前記収容部接続端子とを接続する端子接続方向の位置である、請求項２に記載の電池パックの収容構造。
【請求項４】
前記電池パックは、前記電池パック下面突起部と前記収容部底面溝部との嵌合によって、前記収容部の底面に沿い、かつ前記電池パックの接続端子の接続方向と直角な方向の動きが規制される、請求項３に記載の電池パックの収容構造。
【請求項５】
請求項１〜４のいずれか１項に記載の電池パックの収容構造を備える、電子機器。